(57)【要約】 【課題】  確実な設定入力が得られるナビゲーション装置を提供する。【解決手段】  ナビゲーション装置１００は、入力部２４０にて、この入力部２４０が有する操作手段の入力操作に基づいて、接触検出信号Ｓgsまたは押圧検出信号Ｓbtを適宜生成して処理部３４０の制御信号出力手段へ出力する。制御信号出力手段は、接触検出信号Ｓgsを取得すると報知制御信号を生成して音声制御手段へ出力し、押圧検出信号Ｓbtを取得すると処理制御信号を生成して表示制御手段、音声制御手段、案内誘導演算手段へ適宜出力する。ナビゲーション装置１００は、音声制御手段にて、接触検出信号Ｓgsに基づいて操作手段に対応する処理内容を報知する音声を音声出力部２３０から出力させ、表示制御手段、音声制御手段、案内誘導演算手段にて、押圧検出信号Ｓbtに基づいて操作手段に対応する処理を実施させる。【選択図】  図１
2005150921.tif 000002
【特許請求の範囲】
【請求項１】
入力操作に応じた検出信号を認識し、認識した前記検出信号に応じて第１の制御信号および第２の制御信号のうちのいずれか一方を出力する制御信号出力手段と、
各種処理を実施する処理実施手段と、
前記第１の制御信号を取得した場合、前記入力操作に対応して前記処理実施手段が実施する処理の内容を音声出力手段にて報知させ、前記第２の制御信号を取得した場合、前記入力操作に対応した処理を前記処理実施手段に実施させる処理制御手段と、
を具備したことを特徴とした入力制御装置。
【請求項２】
請求項１に記載の入力制御装置であって、
前記制御信号出力手段は、接触および押圧の入力操作に応じた異なる前記検出信号を認識し、前記異なる検出信号に応じて前記第１の制御信号および前記第２の制御信号のうちのいずれか一方を出力する
ことを特徴とした入力制御装置。
【請求項３】
請求項１に記載の入力制御装置であって、
前記制御信号出力手段は、所定時間内に同一の前記検出信号を認識することにより前記第２の制御信号を出力する
ことを特徴とした入力制御装置。
【請求項４】
請求項１に記載の入力制御装置であって、
前記制御信号出力手段は、前記検出信号を認識する時間的な長さを検出し、前記検出した時間的な長さに応じて前記第１の制御信号および前記第２の制御信号のうちのいずれか一方を出力する
ことを特徴とした入力制御装置。
【請求項５】
請求項１乃至請求項４のいずれかに記載の入力制御装置であって、
前記制御信号出力手段は、入力操作を受け付け、受け付けた前記入力操作に応じた前記検出信号を出力する入力手段と、前記検出信号に基づいて前記第１の制御信号および前記第２の制御信号のうちのいずれか一方を出力する信号出力手段と、を備えた
ことを特徴とした入力制御装置。
【請求項６】
入力操作を受け付け、受け付けた前記入力操作に応じた前記検出信号を出力する入力手段を備えるリモートコントロール装置と、
請求項１乃至請求項４のいずれかに記載の入力制御装置と、
を備えることを特徴とする入力制御システム。
【請求項７】
請求項５又は請求項６に記載の入力制御装置又は入力制御システムであって、
前記入力手段は、入力操作可能な複数の操作手段を有し、これら操作手段の入力操作に応じた前記検出信号を出力する
ことを特徴とした入力制御装置又は入力制御システム。
【請求項８】
請求項７に記載の入力制御装置又は入力制御システムであって、
前記操作手段は、複数段階的に入力操作可能に設けられ、
前記入力手段は、前記操作手段の複数段階的な入力操作に応じた前記検出信号を出力する
ことを特徴とした入力制御装置又は入力制御システム。
【請求項９】
入力操作に応じて第１の制御信号および第２の制御信号のうちのいずれか一方を出力する入力手段と、
各種処理を実施する処理実施手段と、
前記第１の制御信号を取得した場合、前記入力操作に対応して前記処理実施手段が実施する処理の内容を音声出力手段にて報知させ、前記第２の制御信号を取得した場合、前記入力操作に対応した処理を前記処理実施手段に実施させる処理制御手段と、
を具備したことを特徴とした入力制御装置。
【請求項１０】
請求項９に記載の入力制御装置であって、
前記入力手段は、接触および押圧の入力操作に応じて前記第１の制御信号および前記第２の制御信号のうちのいずれか一方を出力する
ことを特徴とした入力制御装置。
【請求項１１】
請求項９に記載の入力制御装置であって、
前記入力手段は、所定時間内に同一の入力操作が為されることにより前記第２の制御信号を出力する
ことを特徴とした入力制御装置。
【請求項１２】
請求項９に記載の入力制御装置であって、
前記入力手段は、前記入力操作が為される時間的な長さを検出し、検出した前記時間的な長さに応じて前記第１の制御信号および前記第２の制御信号のうちのいずれか一方を出力する
ことを特徴とした入力制御装置。
【請求項１３】
請求項９乃至請求項１２のいずれかに記載の入力制御装置であって、
前記入力手段は、入力操作可能な複数の操作手段を有し、これら操作手段の入力操作に応じて前記第１の制御信号および前記第２の制御信号のうちのいずれか一方を出力する
ことを特徴とした入力制御装置。
【請求項１４】
請求項１３に記載の入力制御装置であって、
前記操作手段は、複数段階的に入力操作可能に設けられ、
前記入力手段は、前記操作手段の複数段階的な入力操作に応じて前記第１の制御信号および前記第２の制御信号のうちのいずれか一方を出力する
ことを特徴とした入力制御装置。
【請求項１５】
請求項１乃至請求項１４のいずれかに記載の入力制御装置又は入力制御システムであって、
前記処理制御手段は、前記第１の制御信号を取得すると、前記入力操作に対応して前記処理実施手段が実施する処理の内容を表示手段にて報知させる
ことを特徴とした入力制御装置又は入力制御システム。
【請求項１６】
請求項７乃至請求項８及び請求項１３乃至請求項１４のいずれかに記載の入力制御装置又は入力制御システムであって、
前記処理制御手段は、前記第１の制御信号を取得した場合、前記複数の操作手段のうち入力操作された操作手段に対応する音声を前記音声出力手段にて報知させることを特徴とした入力制御装置又は入力制御システム。
【請求項１７】
請求項７乃至請求項８及び請求項１３乃至請求項１４のいずれかに記載の入力制御装置又は入力制御システムであって、
前記入力手段の画像を表示する表示手段を備え、
前記処理制御手段は、前記第１の制御信号を取得した場合、前記入力手段の画像において入力操作された前記操作手段に対応する領域を強調するように前記表示手段を制御することを特徴とした入力制御装置又は入力制御システム。
【発明の詳細な説明】
【技術分野】
【０００１】
本発明は、入力操作に応じて所定の処理を実施させる入力制御装置、および、入力制御システムに関する。
【背景技術】
【０００２】
従来、各種情報を表示可能な表示部などを備えた例えば電気電子機器などの各種操作の設定入力を、複数の操作ボタンなどを有するリモートコントローラ（以下、リモコンと略す）にて実施する構成が知られている。そして、このような構成において、リモコンや入力操作された操作ボタンなどを表示部に表示させて利用者に報知する構成が知られている（例えば、特許文献１参照）。
【０００３】
特許文献１に記載のものは、表示部を有するテレビジョン受像機（以下、ＴＶ受像機と略す）と、このＴＶ受像機の各種動作を設定入力するリモコンと、などを備えている。ＴＶ受像機は、ＴＶ受像機の動作を制御するマイコンと、表示部にリモコンの模式図（以下、リモコン図と略す）などを表示させるＯＳＤ（On Screen Display）発生部と、などを備えている。リモコンは、表示部の表示画面を変更する旨などを設定入力する複数の操作ボタンと、表示部にリモコン図を表示させる旨を設定入力する補助ボタンと、などを有している。そして、ＴＶ受像機は、マイコンにて、リモコンの補助ボタンの入力操作によりリモコン図を表示させる旨が設定入力されたことを認識すると、ＯＳＤ発生にて、表示部にリモコン図を表示させる。この後、ＴＶ受像機は、マイコンにて、リモコンの操作ボタンのうちのいずれかが入力操作されたことを認識すると、ＯＳＤ発生部にて、入力操作された操作ボタンに対応するリモコン図の領域の表示形態を変更させて表示させる。
【０００４】
【特許文献１】特開２００２−３３０３０７号公報（第３頁右欄−第４頁右欄）
【発明の開示】
【発明が解決しようとする課題】
【０００５】
しかしながら、特許文献１の構成において、利用者が例えばリモコンを見ないで操作ボタンの入力操作を実施した場合、入力操作が実施されるまで入力操作内容が表示されないので、所望の操作ボタンとは異なる操作ボタンの入力操作により、所望の動作とは異なる動作の設定入力をしてしまうおそれがある。このような場合、所望の操作ボタンの入力操作を再度実施する必要があるという問題が一例として挙げられる。
【０００６】
本発明は、これらのような点に鑑みて、確実な設定入力が得られる入力制御装置、および、入力制御システムを提供することを目的とする。
【課題を解決するための手段】
【０００７】
請求項１に記載の発明は、入力操作に応じた検出信号を認識し、認識した前記検出信号に応じて第１の制御信号および第２の制御信号のうちのいずれか一方を出力する制御信号出力手段と、各種処理を実施する処理実施手段と、前記第１の制御信号を取得した場合、前記入力操作に対応して前記処理実施手段が実施する処理の内容を音声出力手段にて報知させ、前記第２の制御信号を取得した場合、前記入力操作に対応した処理を前記処理実施手段に実施させる処理制御手段と、を具備したことを特徴とした入力制御装置である。
【０００８】
請求項９に記載の発明は、入力操作に応じて第１の制御信号および第２の制御信号のうちのいずれか一方を出力する入力手段と、各種処理を実施する処理実施手段と、前記第１の制御信号を取得した場合、前記入力操作に対応して前記処理実施手段が実施する処理の内容を音声出力手段にて報知させ、前記第２の制御信号を取得した場合、前記入力操作に対応した処理を前記処理実施手段に実施させる処理制御手段と、を具備したことを特徴とした入力制御装置である。
【発明を実施するための最良の形態】
【０００９】
以下に、本発明の一実施の形態を図面に基づいて説明する。本実施の形態では、本発明の入力制御装置を備えたナビゲーション装置を例示して説明するが、これに限られず入力操作を制御するいずれの構成でも適用できる。
【００１０】
〔ナビゲーション装置の構成〕
図１において、１００はナビゲーション装置である。このナビゲーション装置１００は、移動体である例えば車両の移動状況に対応して移動に関する案内を報知する装置である。なお、移動体としては、車両に限らず、飛行機、船舶などその他の移動体も対象となる。また、ナビゲーション装置１００としては、例えば移動体としての車両に搭載される車載型、携帯型、ＰＤＡ（Personal Digital Assistant）、携帯電話、ＰＨＳ(Personal Handyphone System)、携帯型パーソナルコンピュータなどが例示できる。このナビゲーション装置１００は、このナビゲーション装置１００が有する地図情報に基づいて、現在位置や目的地に関する情報、目的地までのルート探索や表示、最寄りの所定の店舗の検索やその表示あるいは店舗のサービス内容に関する情報の表示などを実施する。そして、ナビゲーション装置１００は、表示装置２００と、本体部３００と、を備えている。
【００１１】
表示装置２００は、本体部３００と各種情報が送受信可能に接続され本体部３００による制御にて動作可能とされている。この表示装置２００は、図２に示すように、筐体２１０を備えている。この筐体２１０は、例えば合成樹脂などにより図示しない内部空間を有した略箱状に形成され、正面略中央には表示窓２１１が開口形成されている。表示装置２００は、表示窓２１１が車両の図示しないダッシュボードに配設される、いわゆるオンダッシュボード型とされている。なお、ここでは、表示装置２００がオンダッシュボード型である構成について例示するがこれに限られない。そして、表示装置２００の筐体２１０内には、図１に示すように、表示装置２００を構成する、表示手段としての表示部２２０と、音声出力手段としての音声出力部２３０と、入力手段としての入力部２４０と、などが配設されている。
【００１２】
表示部２２０は、本体部３００にて制御され本体部３００から出力される画像データの信号Ｓdpを画面表示する図２に示すような表示面２２１を有し、この表示面２２１が筐体２１０の表示窓２１１に臨んで筐体２１０内に配設されている。画面表示する画像データとしては、例えば地図情報や検索情報などの画像データの他、図示しないＴＶ受信機で受信したＴＶ画像データ、外部装置など光ディスクや磁気ディスク、メモリカードなどの記録媒体に記録されドライブやドライバなどにて読み取った画像データ、入力部２４０に対応する処理内容に関する画像データなどである。この表示部２２０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００１３】
音声出力部２３０は、例えば図示しないスピーカなどの発音手段を有し、表示装置２００の筐体２１０内に配設されている。この音声出力部２３０は、本体部３００にて制御され、本体部３００からの音声データなどの各種信号Ｓadを発音手段から音声により出力する。音声により出力する情報としては例えば車両の走行方向や走行状況、交通状況、入力部２４０に対応する処理内容に関する情報などで、車両の走行を案内する上で運転者などの搭乗者に報知する。また、発音手段は、例えばＴＶ受信機で受信したＴＶ音声データや記録媒体などに記録された音声データなどをも適宜出力可能である。なお、音声出力部２３０は、表示装置２００に配設された構成に限らず、車両に配設されている発音手段を利用する構成としてもよい。
【００１４】
入力部２４０は、図２および図３に示すように表示装置２００などに設けられた、タッチパネル２５０と、表示装置入力手段２６０と、リモートコントローラ入力手段２７０（以下、リモコン入力手段２７０と称す）と、などを備えている。なお、入力部２４０に、音声に基づいて入力操作を実施する音声入力手段を備えた構成などとしてもよい。
【００１５】
タッチパネル２５０は、表示装置２００の表示面２２１に設けられている。このタッチパネル２５０の入力操作としては、例えばナビゲーション装置１００の動作内容の設定などの設定事項である。具体的には、取得する情報の内容や取得する条件などの設定、目的地の設定、情報の検索、車両の移動状況である走行状態を表示させる設定、表示面２２１に画面表示させる地図の縮尺の設定、音声出力部２３０から出力される音量の設定、表示の切換や調整などの設定などが例示できる。
【００１６】
そして、タッチパネル２５０は、例えば本体部３００の制御にて表示面２２１に画面表示される図２や図４に示すようなコマンドボタン２２２，２２３にそれぞれ対応する領域が接触されたことを認識すると、この領域が押圧されたか否かを判断する。具体的には、タッチパネル２５０は、コマンドボタン２２２，２２３に対応する領域に例えば圧力が加わったことを認識すると、この圧力が加わった領域が接触されたと判断する。この後、この領域の圧力やその変化量などが、所定時間の例えば２秒以内に所定量以上となったか否かを判断する。なお、ここでは、所定時間を２秒とした構成について例示するが、これに限らず３秒や０．５秒などその他の時間としてもよい。そして、タッチパネル２５０は、コマンドボタン２２２，２２３に対応する領域に加わった圧力が例えば２秒以内に所定量以上となったと判断するとこの領域が押圧されたと判断し、所定量以上とならなかったと判断するとこの領域が押圧されずに接触されたと判断する。
【００１７】
なお、ここでは、コマンドボタン２２２，２２３に対応する領域に加わった圧力に基づいて、この領域が押圧されたか否かを判断する構成について例示するが、これに限らず例えば以下のような構成などとしてもよい。すなわち、コマンドボタン２２２，２２３に対応する領域の電流、温度、光量、磁気などの物理量や、それらの変化量などに基づいて押圧されたか否かを判断する構成など、適宜他の構成としてもよい。
【００１８】
この後、タッチパネル２５０は、コマンドボタン２２２，２２３に対応する領域が接触されたと判断すると、この領域が接触された旨を伝達する接触情報と、この接触された領域を特定する操作部特定情報と、を有する検出信号としての接触検出信号Ｓgsを適宜生成して本体部３００へ出力する。また、タッチパネル２５０は、コマンドボタン２２２，２２３に対応する領域が押圧されたと判断すると、この領域が押圧された旨を伝達する押圧情報と、この押圧された領域を識別する領域識別情報と、を有する検出信号としての押圧検出信号Ｓbtを適宜生成して本体部３００へ出力する。
【００１９】
表示装置入力手段２６０は、筐体２１０の正面下方に複数並設された操作手段としての操作ボタン２６１と、操作ボタン２６１の右隣に並設された操作手段としての操作つまみ２６２と、筐体２１０内に配設された図示しない検出信号生成部と、などを備えている。
【００２０】
操作ボタン２６１は、例えばゴムやプラスチックなどの材料により例えば短尺の略円柱状に形成され、図２における紙面の裏面方向に進退可能に設けられている。この操作ボタン２６１の入力操作としては、例えばナビゲーション装置１００の動作内容の設定などの設定事項である。具体的には、表示面２２１に画面表示させる地図の縮尺の設定、音声出力部２３０から出力される音量の設定、表示の切換などの設定などが例示できる。操作ボタン２６１の内部には、図示しないセンサが設けられている。なお、ここでは、センサを操作ボタン２６１の内部に設けた構成について例示したが、これに限らず例えば操作ボタン２６１の表面、周縁、近傍などに設けた構成などとしてもよい。このセンサとしては、例えば圧力、電流、温度、光量、磁気などの物理量やそれらの変化量を検出する構成などが例示できるがこれに限られない。また、センサとしては、接触式や非接触式などいずれのセンサを用いることができる。
【００２１】
操作つまみ２６２は、例えばゴムやプラスチックなどの材料により例えば略円板状に形成され、図２における上下左右方向に傾倒可能に、かつ、図２における紙面の裏面方向に進退可能に設けられている。この操作つまみ２６２の入力操作としては、例えばナビゲーション装置１００の動作内容の設定などの設定事項である。具体的には、取得する情報の内容や取得する条件などの設定、目的地の設定、情報の検索、車両の移動状況である走行状態を表示させる設定、表示の調整などの設定などが例示できる。この操作つまみ２６２は、例えば断面略Ｍ字状であり、かつ、例えば表面の略中央から例えば略半球状に突出された決定操作部２６２Ａが設けられた形状に形成されている。この決定操作部２６２Ａは、例えば図４に示すような、カーソル２２４にて囲まれたコマンドボタン２２３に対応する処理内容である例えば「住所」に基づいた検索の実施を要求する際に、利用者にて入力操作される部分である。また、操作つまみ２６２には、決定操作部２６２Ａを囲むように隣接された複数の選択操作部２６２Ｂが設けられている。この選択操作部２６２Ｂは、例えば図４に示すようなカーソル２２４を移動させる際に、利用者にて入力操作される部分である。そして、操作つまみ２６２の内部における決定操作部２６２Ａおよび選択操作部２６２Ｂにそれぞれ対応する位置には、図示しないセンサが設けられている。なお、操作ボタン２６１のセンサと同様に、センサを操作つまみ２６２における決定操作部２６２Ａおよび選択操作部２６２Ｂに対応する表面、操作つまみ２６２の周縁、近傍などに設けた構成などとしてもよい。また、センサとしては、操作ボタン２６１に設けられたものと同様のセンサが例示できるがこれに限られない。
【００２２】
検出信号生成部は、操作ボタン２６１や操作つまみ２６２の入力操作に基づいて、タッチパネル２５０と同様の処理を実施して、接触検出信号Ｓgsまたは押圧検出信号Ｓbtを生成して本体部３００へ出力する。具体的には、検出信号生成部は、操作ボタン２６１や操作つまみ２６２のセンサにて、所定の方向への例えば圧力が加わったことを検出すると、タッチパネル２５０と同様の処理により、この操作ボタン２６１や操作つまみ２６２が所定の方向に押圧されたか否かを判断する。例えば検出信号生成部は、操作ボタン２６１や操作つまみ２６２のセンサにて所定の方向への圧力が加わったことを検出すると、この圧力やその変化量などが所定時間の例えば２秒以内に所定量以上となったか否かを判断する。そして、検出信号生成部は、操作ボタン２６１や操作つまみ２６２に加わった所定の方向への圧力が例えば２秒以内に所定量以上とならなかったと判断すると、この領域が所定の方向に押圧されずに接触されたと判断する。この後、検出信号生成部は、操作ボタン２６１や操作つまみ２６２が接触されたことを伝達する接触情報と、この接触された操作ボタン２６１や操作つまみ２６２を特定する操作部特定情報と、を有する接触検出信号Ｓgsを適宜生成して本体部３００へ出力する。また、検出信号生成部は、操作ボタン２６１や操作つまみ２６２に加わった所定の方向への圧力が例えば２秒以内に所定量以上となったと判断すると、この領域が押圧されたと判断する。この後、検出信号生成部は、操作ボタン２６１や操作つまみ２６２が押圧されたことを伝達する押圧情報と、この押圧された操作ボタン２６１や操作つまみ２６２を特定する操作部特定情報と、を有する押圧検出信号Ｓbtを適宜生成して本体部３００へ出力する。
【００２３】
なお、ここでは、操作ボタン２６１や操作つまみ２６２のセンサにて検出した圧力に基づいて、この操作ボタン２６１や操作つまみ２６２が押圧されたか否かを判断する構成について例示するが、これに限らず例えば以下のような構成などとしてもよい。すなわち、操作ボタン２６１や操作つまみ２６２のセンサにて検出した例えば所定の領域の電流、温度、光量、磁気などの物理量や、それらの変化量などに基づいて押圧されたか否かを判断する構成など、適宜他の構成としてもよい。
【００２４】
リモコン入力手段２７０は、本体部３００から着脱可能に設けられた図３に示すようなリモートコントローラ４００（以下、リモコン４００と略す）と、表示装置２００の筐体２１０の正面あるいは上面などに設けられた検出窓２１２に臨んで配設されたリモコン受光部２８０と、などを備えている。
【００２５】
リモコン４００は、例えば合成樹脂などにより図示しない内部空間を有する薄型略矩形箱状に形成されたケース体４１０を有している。このケース体４１０は、例えば面積が一番大きい一方の面が操作部配設面４１１とされ、例えば面積が一番小さい一方の面が信号出射面４１２とされている。そして、リモコン４００は、操作部配設面４１１の略中央に配設された操作手段としてのリモコンつまみ４２０と、このリモコンつまみ４２０の周囲を囲むように並設された４つの操作手段としてのリモコンボタン４３０と、信号出射面４１２の長手方向略中央に形成された検出窓４１３に臨んで配設されたリモコン信号生成部４４０と、など備えている。
【００２６】
リモコンつまみ４２０は、例えばゴムやプラスチックなどの材料により例えば略円錐台形状に形成され、図３における上下左右方向に傾倒可能に、かつ、図３における紙面の裏面方向に進退可能に設けられている。このリモコンつまみ４２０の入力操作としては、表示装置入力手段２６０の操作つまみ２６２と同様の設定事項である。また、リモコンつまみ４２０は、例えば断面略Ｍ字状であり、かつ、例えば表面の略中央から例えば略半球状に突出された決定操作部４２１が設けられた形状に形成されている。この決定操作部４２１は、操作つまみ２６２の決定操作部２６２Ａと同様に、カーソル２２４にて囲まれたコマンドボタン２２３に対応する処理を要求する際に、利用者にて入力操作される部分である。また、リモコンつまみ４２０には、決定操作部４２１を囲むように隣接された複数の選択操作部４２２が設けられている。この選択操作部４２２は、操作つまみ２６２の選択操作部２６２Ｂと同様に、カーソル２２４を移動させる際に、利用者にて入力操作される部分である。そして、リモコンつまみ４２０の内部における決定操作部４２１および選択操作部４２２にそれぞれ対応する位置には、図示しないセンサが設けられている。なお、表示装置入力手段２６０の操作つまみ２６２と同様に、センサをリモコンつまみ４２０における決定操作部４２１および選択操作部４２２に対応する表面、リモコンつまみ４２０の周縁、近傍などに設けた構成などとしてもよい。また、このセンサとしては、表示装置入力手段２６０の操作つまみ２６２に設けられたものと同様のセンサが例示できるがこれに限られない。
【００２７】
リモコンボタン４３０は、例えばゴムやプラスチックなどの材料により例えば薄型略矩形箱状に形成され、図３における紙面の裏面方向に進退可能に設けられている。このリモコンボタン４３０の入力操作としては、表示装置入力手段２６０の操作ボタン２６１と同様の設定事項である。また、リモコンボタン４３０の内部には、図示しないセンサが設けられている。なお、表示装置入力手段２６０の操作ボタン２６１と同様に、このセンサをリモコンボタン４３０の表面、周縁、近傍などに設けた構成などとしてもよい。このセンサとしては、表示装置入力手段２６０の操作ボタン２６１に設けられたものと同様のセンサなどが例示できるがこれに限られない。
【００２８】
リモコン信号生成部４４０は、リモコンつまみ４２０やリモコンボタン４３０の入力操作に基づいて、表示装置入力手段２６０の検出信号生成部と同様の処理を実施して、接触センサ信号または押圧センサ信号を生成してリモコン受光部２８０へ出力する。具体的には、リモコン信号生成部４４０は、リモコンつまみ４２０やリモコンボタン４３０のセンサにて、所定の方向への例えば圧力が加わったことを検出すると、検出信号生成部と同様の処理により、このリモコンつまみ４２０やリモコンボタン４３０が押圧されたか否かを判断する。例えばリモコン信号生成部４４０は、リモコンつまみ４２０やリモコンボタン４３０のセンサにて、所定の方向への圧力が加わったことを検出すると、この圧力やその変化量などが所定時間の例えば２秒以内に所定量以上となったか否かを判断する。そして、リモコン信号生成部４４０は、リモコンつまみ４２０やリモコンボタン４３０に加わった所定の方向への圧力が例えば２秒以内に所定量以上とならなかったと判断すると、この領域が押圧されずに接触されたと判断する。この後、リモコン信号生成部４４０は、リモコンつまみ４２０やリモコンボタン４３０が接触されたことを伝達する接触情報と、この接触されたリモコンつまみ４２０やリモコンボタン４３０を特定する操作部特定情報と、を有する接触センサ信号を適宜生成して、例えば赤外線を利用してリモコン受光部２８０へ出力する。また、リモコン信号生成部４４０は、リモコンつまみ４２０やリモコンボタン４３０に加わった所定の方向への圧力が例えば２秒以内に所定量以上となったと判断すると、この領域が押圧されたと判断する。この後、リモコン信号生成部４４０は、リモコンつまみ４２０やリモコンボタン４３０が押圧されたことを伝達する押圧情報と、この押圧されたリモコンつまみ４２０やリモコンボタン４３０を特定する操作部特定情報と、を有する押圧センサ信号を適宜生成して、例えば赤外線を利用してリモコン受光部２８０へ出力する。
【００２９】
なお、ここでは、リモコンつまみ４２０やリモコンボタン４３０のセンサにて検出した所定の方向への圧力に基づいて、このリモコンつまみ４２０やリモコンボタン４３０が所定の方向に押圧されたか否かを判断する構成について例示するが、これに限らず例えば以下のような構成などとしてもよい。すなわち、リモコンつまみ４２０やリモコンボタン４３０のセンサにて検出した例えば電流、温度、光量、磁気などの物理量や、それらの変化量などに基づいて所定の方向に押圧されたか否かを判断する構成など、適宜他の構成としてもよい。また、赤外線を利用して接触センサ信号または押圧センサ信号を出力する構成について例示したが、これに限らず例えば電波、音波などの他の無線媒体や、リード線などの有線媒体などを利用して出力する構成としてもよい。
【００３０】
リモコン受光部２８０は、リモコン４００からの赤外線を受光する。そして、この赤外線が押圧センサ信号を有している場合、この押圧センサ信号を押圧検出信号Ｓbtに適宜変換して処理部３４０へ出力する。また、リモコン受光部２８０は、受光した赤外線が接触センサ信号を有している場合、この接触センサ信号を接触検出信号Ｓgsに適宜変換して本体部３００へ出力する。
【００３１】
なお、以下において、タッチパネル２５０におけるコマンドボタン２２２，２２３に対応する領域、表示装置入力手段２６０の操作ボタン２６１や操作つまみ２６２、リモコン４００のリモコンつまみ４２０やリモコンボタン４３０などを、入力部２４０の操作手段と適宜称して説明する。
【００３２】
本体部３００は、図１に示すように、センサ部３１０と、記憶手段３２０と、メモリ３３０と、処理部３４０と、などを備えている。なお、本体部３００に設けられた処理部３４０、および、表示装置２００などに設けられた入力部２４０にて、本発明の入力制御装置が構成されている。
【００３３】
センサ部３１０は、移動体である例えば車両の移動の状態、すなわち現在位置や走行状況などを検出して処理部３４０に所定の信号Ｓscとして出力する。このセンサ部３１０は、例えば図示しないＧＰＳ（Global Positioning System）受信部と、図示しない速度センサ、方位角センサおよび加速度センサなどの各種センサなどにて構成されている。
【００３４】
ＧＰＳ受信部は、図示しない人工衛星であるＧＰＳ衛星から出力される航法電波を図示しないＧＰＳアンテナにて受信する。そして、ＧＰＳ受信部は、受信した航法電波に対応した信号に基づいて現在位置の擬似座標値を演算し、ＧＰＳデータとして処理部３４０に出力する。
【００３５】
また、センサ部３１０のセンサである速度センサは、移動体である例えば車両に配設され、車両の移動速度である走行速度に対応して変動する信号に基づいて、車両の走行速度や実際の加速度を検出する。この速度センサは、例えば車軸や車輪の回転により出力されるパルス信号や電圧値などを読み取る。そして、速度センサは、読み取ったパルス信号や電圧値などの検出情報を処理部３４０へ出力する。センサである方位角センサは、車両に配設され、図示しないいわゆるジャイロセンサを有し、車両の方位角すなわち車両が前進する走行方向を検出する。この方位角センサは、検出した走行方向に関する検出情報である信号を処理部３４０へ出力する。センサである加速度センサは、車両に配設され、車両の走行方向における加速度を検出する。この加速度センサは、検出した加速度を、例えばパルスや電圧などによる検出情報であるセンサ出力値に変換し、処理部３４０へ出力する。
【００３６】
記憶手段３２０は、例えば地図情報やこの地図情報における所定の地点の情報を取得するための検索情報などを格納、すなわち読み出し可能に記憶する。この記憶手段３２０としては、ＨＤ（Hard Disk）などの磁気ディスク、ＣＤ（Compact Disc）やＤＶＤ（Digital Versatile Disc）などの光ディスク、光磁気ディスク、メモリカードなどの各種記録媒体から各種情報を読み出し可能に記憶するドライブやドライバなどを備えた構成などが例示できる。
【００３７】
メモリ３３０は、入力部２４０で入力操作される設定事項や音楽データや画像データなどの各種情報を適宜読み出し可能に記憶する。また、メモリ３３０には、ナビゲーション装置１００全体を動作制御するＯＳ（Operating System）上に展開される各種プログラムなどを記憶している。このメモリ３３０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ３３０としては、ＨＤや光ディスク、メモリカードなどの各種記録媒体に読み出し可能に記憶するドライブやドライバなどを備えた構成としてもよい。
【００３８】
処理部３４０は、図示しない各種入出力ポート、例えばＧＰＳ受信部が接続されるＧＰＳ受信ポート、各種センサがそれぞれ接続されるセンサポート、表示装置２００が接続される表示装置制御ポート、記憶手段３２０が接続される記憶ポート、メモリ３３０が接続されるメモリポートなどを有する。そして、処理部３４０は、各種プログラムとして、図５に示すように、信号出力手段としても機能する制御信号出力手段３４１と、処理実施手段としても機能する処理制御手段としての表示制御手段３４２と、処理実施手段としても機能する処理制御手段としての音声制御手段３４３と、処理実施手段としての案内誘導演算手段３４４と、などを備えている。
【００３９】
制御信号出力手段３４１は、入力部２４０から入力される押圧検出信号Ｓbtまたは接触検出信号Ｓgsを適宜取得する。そして、制御信号出力手段３４１は、押圧検出信号Ｓbtを取得すると、この押圧検出信号Ｓbtに記載された押圧情報および操作部固有情報に基づいて、押圧されている入力部２４０の操作手段を認識する。そして、この認識した入力部２４０の操作手段に対応する処理の実施を要求する第２の制御信号としての処理制御信号を生成して、表示制御手段３４２、音声制御手段３４３、案内誘導演算手段３４４に適宜出力する。例えば、制御信号出力手段３４１は、音声出力部２３０から出力される音量を大きくする操作ボタン２６１が押圧されていると認識した場合、音量を大きくする旨を要求する処理制御信号を生成して、音声制御手段３４３へ出力する。
【００４０】
また、制御信号出力手段３４１は、接触検出信号Ｓgsを取得すると、この接触検出信号Ｓgsに記載された接触情報および操作部固有情報に基づいて、接触されている入力部２４０の操作手段を認識する。そして、この認識した入力部２４０の操作手段に対応する処理内容の報知を要求する第１の制御信号としての報知制御信号を生成して、表示制御手段３４２および音声制御手段３４３に出力する。例えば、制御信号出力手段３４１は、例えば音量を大きくする操作ボタン２６１が接触されていると判断した場合、この操作ボタン２６１に対応する処理内容を報知する旨を要求する報知制御信号を生成して、表示制御手段３４２および音声制御手段３４３へ出力する。
【００４１】
なお、ここでは、制御信号出力手段３４１にて、押圧検出信号Ｓbtを取得した場合に処理制御信号を生成し、接触検出信号Ｓgsを取得した場合に報知制御信号を生成する構成について例示したが、これに限られない。例えば、押圧検出信号Ｓbtを取得した場合に報知制御信号を生成し、接触検出信号Ｓgsを取得した場合に処理制御信号を生成する構成などとしてもよい。
【００４２】
表示制御手段３４２は、表示部２２０を制御して各種情報を表示部２２０で画面表示させる。この表示制御手段３４２は、表示部２２０を制御して、車両の走行状況に対応して車両の移動に関する案内、例えば車両の走行を支援する内容の案内を表示面２２１に画面表示させる。
【００４３】
また、表示制御手段３４２は、制御信号出力手段３４１から出力される処理制御信号に基づいて、この処理制御信号にて要求された入力部２４０の操作手段に対応する処理を実施する。具体的には、表示制御手段３４２は、制御信号出力手段３４１から例えば表示面２２１に詳細地図を画面表示させる旨を要求する処理制御信号を取得すると、表示部２２０を制御して、表示面２２１に詳細地図を画面表示させる。
【００４４】
さらに、表示制御手段３４２は、制御信号出力手段３４１から例えば表示面２２１にメニュー画面を画面表示させたり、画面表示された表示画面を１つ前の表示画面に戻す旨を要求する処理制御信号を取得すると、以下のような処理を実施する。すなわち、表示制御手段３４２は、表示部２２０を制御して、例えば図２や図４に示すような、タッチパネル２５０の入力操作位置を示す複数のコマンドボタン２２２，２２３や、これらコマンドボタン２２２，２２３のうちのいずれか１つの周囲にカーソル２２４などを適宜表示させる。また、表示制御手段３４２は、制御信号出力手段３４１から操作つまみ２６２の選択操作部２６２Ｂやリモコンつまみ４２０の選択操作部４２２の入力操作により、カーソル２２４を移動させる旨を要求する処理制御信号を取得すると、カーソル２２４を適宜移動させて画面表示させる。
【００４５】
また、表示制御手段３４２は、制御信号出力手段３４１から出力される報知制御信号に基づいて、この報知制御信号にて要求された入力部２４０の操作手段に対応する処理内容の報知を実施する。具体的には、表示制御手段３４２は、制御信号出力手段３４１から例えば詳細地図を画面表示させるリモコンボタン４３０に対応する処理内容の報知を要求する報知制御信号を取得すると、例えば以下のような処理を実施する。すなわち、表示制御手段３４２は、表示部２２０を制御して、詳細地図を画面表示させずに、例えば図６に示すようにリモコン４００の模式図２２５を画面表示させる。そして、報知制御信号にて処理内容の報知が要求されているリモコンボタン４３０に対応する表示領域２２５Ａを、他のリモコンボタン４３０やリモコンつまみ４２０に対応する表示領域２２５Ｂの表示形態とは異なる表示形態で表示させる。
【００４６】
さらに、表示制御手段３４２は、制御信号出力手段３４１から例えば音量を大きくする操作ボタン２６１に対応する処理内容の報知を要求する報知制御信号を取得すると、例えば図７に示すように操作ボタン２６１および操作つまみ２６２の模式図２２６を画面表示させる。そして、報知制御信号にて処理内容の報知が要求されている操作ボタン２６１に対応する表示領域２２６Ａを、他の操作ボタン２６１や操作つまみ２６２に対応する表示領域２２６Ｂの表示形態とは異なる表示形態で表示させる。
【００４７】
なお、これら異なる表示形態で表示させる構成としては、例えば表示領域２２５Ａ，２２６Ａを点滅させて表示させる構成や、例えば表示色、輝度、明るさなどを異なるもので表示させる構成などが例示できるがこれに限られない。
【００４８】
また、表示制御手段３４２は、例えば表示面２２１に図４に示すような表示画面が画面表示されている状況において、制御信号出力手段３４１から決定操作部２６２Ａに対応する処理内容の報知を要求する報知制御信号を取得すると、例えば以下のような処理を実施する。すなわち、表示制御手段３４２は、表示部２２０を制御して、「住所」に基づいた検索処理を実施する際の表示画面を画面表示させずに、例えば図８に示すように操作ボタン２６１および操作つまみ２６２に模式図２２７を画面表示させる。そして、報知制御信号にて処理内容の報知が要求されている決定操作部２６２Ａに対応する表示領域２２７Ａを、他の操作ボタン２６１や操作つまみ２６２に対応する表示領域２２７Ｂの表示形態とは異なる表示形態で表示させる。
【００４９】
そして、表示制御手段３４２は、例えば表示面２２１に図４に示すような表示画面が画面表示されている状況において、制御信号出力手段３４１からカーソル２２４を右側に移動させる選択操作部２６２Ｂに対応する処理内容の報知を要求する報知制御信号を取得すると、例えば以下のような処理を実施する。すなわち、表示制御手段３４２は、表示部２２０を制御して、カーソル２２４を右側に移動させた表示画面を画面表示させずに、図９に示すように操作ボタン２６１および操作つまみ２６２の模式図２２８を画面表示させる。そして、報知制御信号にて処理内容の報知が要求されている選択操作部２６２Ｂに対応する表示領域２２８Ａを、他の操作ボタン２６１や操作つまみ２６２に対応する表示領域２２８Ｂの表示形態とは異なる表示形態で表示させる。
【００５０】
なお、異なる表示形態で表示させる構成としては、上述したものと同様に、例えば表示領域２２７Ａ，２２８Ａを点滅させて表示させる構成や、例えば表示色、輝度、明るさなどを異なるもので表示させる構成などが例示できるがこれに限られない。
【００５１】
音声制御手段３４３は、音声出力部２３０を制御して各種音声を音声出力部２３０から出力させる。この音声制御手段３４３は、音声出力部２３０を制御して、車両の走行状況に対応して車両の移動に関する案内、例えば車両の走行を支援する内容の案内を音声出力部２３０から出力させる。
【００５２】
また、音声制御手段３４３は、制御信号出力手段３４１から出力される処理制御信号に基づいて、この処理制御信号にて要求された入力部２４０の操作手段に対応する処理を実施する。具体的には、音声制御手段３４３は、制御信号出力手段３４１から例えば音量を大きくする旨を要求する処理制御信号を取得すると、音声出力部２３０を制御して、音声出力部２３０から出力させている音声の音量を大きくする。
【００５３】
さらに、音声制御手段３４３は、制御信号出力手段３４１から出力される報知制御信号に基づいて、この報知制御信号にて要求された入力部２４０の操作手段に対応する処理内容の報知を実施する。具体的には、音声制御手段３４３は、制御信号出力手段３４１から例えば詳細地図を画面表示させるリモコンボタン４３０に対応する処理内容の報知を要求する報知制御信号を取得すると、例えば以下のような処理を実施する。すなわち、音声制御手段３４３は、音声出力部２３０を制御して、例えば「詳細地図を表示します」などのリモコンボタン４３０に対応する処理内容を報知する音声を音声出力部２３０から出力させる。
【００５４】
また、音声制御手段３４３は、制御信号出力手段３４１から例えば音量を大きくする操作ボタン２６１に対応する処理内容の報知を要求する報知制御信号を取得すると、例えば以下のような処理を実施する。すなわち、音声制御手段３４３は、音声出力部２３０を制御して、音声出力部２３０から出力させている音声の音量を大きくせずに、例えば「音量を大きくします」などの操作ボタン２６１に対応する処理内容を報知する音声を音声出力部２３０から出力させる。
【００５５】
そして、音声制御手段３４３は、例えば表示面２２１に図４に示すような表示画面が表示されている状況において、制御信号出力手段３４１から決定操作部２６２Ａに対応する処理内容の報知を要求する報知制御信号を取得すると、例えば以下のような処理を実施する。すなわち、音声制御手段３４３は、音声出力部２３０を制御して、例えば「住所を選択します」などの決定操作部２６２Ａに対応する処理内容を報知する音声を音声出力部２３０から出力させる。
【００５６】
また、音声制御手段３４３は、例えば表示面２２１に図４に示すような表示画面が表示されている状況において、制御信号出力手段３４１からカーソル２２４を右側に移動させる選択操作部２６２Ｂに対応する処理内容の報知を要求する報知制御信号を取得すると、以下のような処理を実施する。すなわち、音声制御手段３４３は、音声出力部２３０を制御して、例えば「カーソルを右に移動させます」などの選択操作部２６２Ｂに対応する処理内容を報知する音声を音声出力部２３０から出力させる。なお、選択操作部２６２Ｂに対応する処理が実施された際に選択される項目を報知する「電話番号が選択されます」などの音声を、音声出力部２３０から出力させる構成などとしてもよい。または、音声制御手段３４３は、音声出力部２３０を制御して、例えば「右カーソル」などの入力操作される操作つまみ２６２の名称を報知する音声を音声出力部２３０から出力させてもよい。
【００５７】
案内誘導演算手段３４４は、制御信号出力手段３４１から出力される処理制御信号に基づいて、例えばルート探索、情報の検索などの移動体の移動状況に対応した各種案内を実施するための演算を適宜実施する。具体的には、案内誘導演算手段３４４は、制御信号出力手段３４１から例えばルート探索を要求する処理制御信号を取得すると、ルート探索を実施する。
【００５８】
〔ナビゲーション装置の動作〕
次に、ナビゲーション装置１００の動作を図面を参照して説明する。
【００５９】
（タッチパネルまたは表示装置入力手段を用いた入力制御処理）
まず、ナビゲーション装置１００の動作として、タッチパネル２５０または表示装置入力手段２６０を用いた入力制御処理について、図１０に基づいて説明する。なお、ここでは、ナビゲーション装置１００にて、利用者の設定入力により任意の処理が実施された後の入力制御処理を例示して説明するが、前述した任意の処理の際にも同様の入力制御処理が実施されている。図１０は、タッチパネルまたは表示装置入力手段を用いた入力制御処理を示すフローチャートである。
【００６０】
まず、ナビゲーション装置１００は、利用者の設定入力により任意の処理を実施した後、入力待機状態となる。そして、ナビゲーション装置１００は、図１０に示すように、タッチパネル２５０や表示装置入力手段２６０の検出信号生成部にて、例えば利用者の例えば指がタッチパネル２５０や表示装置入力手段２６０の操作手段、すなわち、コマンドボタン２２２，２２３に対応する領域、操作ボタン２６１、操作つまみ２６２のいずれかに接触していると判断すると（ステップＳ１０１）、この接触された操作手段が押圧されたか否かを判断する（ステップＳ１０２）。
【００６１】
そして、タッチパネル２５０や検出信号生成部は、操作手段が押圧されたと判断すると、押圧検出信号Ｓbtを生成して処理部３４０へ出力する（ステップＳ１０３）。タッチパネル２５０は、例えば図４に示すような「ジャンル」を選択するコマンドボタン２２３に対応する領域が押圧されたと判断すると、この領域が押圧されたことを伝達する押圧情報と、この領域を特定する操作部特定情報と、を有する押圧検出信号Ｓbtを生成して処理部３４０へ出力する。
【００６２】
この後、処理部３４０は、制御信号出力手段３４１にて、押圧検出信号Ｓbtを取得すると、この取得した押圧検出信号Ｓbtに基づいて、押圧された操作手段を認識する。そして、制御信号出力手段３４１は、この認識した操作手段に対応する処理の実施を要求する処理制御信号を生成して、表示制御手段３４２、音声制御手段３４３、案内誘導演算手段３４４へ適宜出力する（ステップＳ１０４）。この後、制御信号出力手段３４１から入力される処理制御信号を取得した表示制御手段３４２、音声制御手段３４３、案内誘導演算手段３４４は、処理制御信号に基づいて、押圧された操作手段に対応する処理を実施して（ステップＳ１０５）、入力制御処理を終了する。
【００６３】
例えば制御信号出力手段３４１は、押圧検出信号Ｓbtを取得すると、この取得した押圧検出信号Ｓbtに基づいて、押圧された操作手段が例えば図４に示すような「ジャンル」を選択するコマンドボタン２２３に対応する領域であることを認識する。そして、制御信号出力手段３４１は、例えば「食事」、「競技場」などの各ジャンルの名称を表示装置２００に画面表示させる旨を要求する処理制御信号を生成して表示制御手段３４２へ出力する。この後、表示制御手段３４２は、制御信号出力手段３４１から入力される処理制御信号を取得すると、この処理制御信号に基づいて、各ジャンルの名称を表示装置２００に画面表示させて、入力制御処理を終了する。
【００６４】
一方で、ステップＳ１０２において、タッチパネル２５０や検出信号生成部は、操作手段が押圧されずに接触されたと判断すると、接触検出信号Ｓgsを生成して処理部３４０へ出力する（ステップＳ１０６）。例えば検出信号生成部は、音量を大きくする操作ボタン２６１が接触されたと判断すると、この操作ボタン２６１が接触されたことを伝達する接触情報と、この操作ボタン２６１を特定する操作部特定情報と、を有する接触検出信号Ｓgsを生成して処理部３４０へ出力する。
【００６５】
この後、処理部３４０は、制御信号出力手段３４１にて、接触検出信号Ｓgsを取得すると、この取得した接触検出信号Ｓgsに基づいて、接触された操作手段を認識する。そして、制御信号出力手段３４１は、この認識した操作手段に対応する処理内容の報知を要求する報知制御信号を生成して、表示制御手段３４２および音声制御手段３４３へ出力する（ステップＳ１０７）。この後、制御信号出力手段３４１から出力される報知制御信号を取得した表示制御手段３４２および音声制御手段３４３は、報知制御信号に基づいて、接触された操作手段に対応する処理内容の報知を実施して（ステップＳ１０８）、入力制御処理を終了する。
【００６６】
例えば制御信号出力手段３４１は、接触検出信号Ｓgsを取得すると、この取得した接触検出信号Ｓgsに基づいて、接触された操作手段が例えば音量を大きく操作ボタン２６１であることを認識する。そして、制御信号出力手段３４１は、この操作ボタン２６１に対応する処理内容を報知する旨を要求する報知制御信号を生成して表示制御手段３４２および音声制御手段３４３へ出力する。この後、表示制御手段３４２は、制御信号出力手段３４１から出力される報知制御信号を取得すると、この報知制御信号に基づいて、接触された操作ボタン２６１に対応する処理内容を報知する図７に示すような模式図２２６を表示装置２００に画面表示させる。また、音声制御手段３４３は、報知制御信号に基づいて、例えば「音量を大きくします」などの接触された操作ボタン２６１に対応する処理内容を報知する音声を音声出力部２３０から出力させる。
【００６７】
（リモコン入力手段を用いた入力制御処理）
次に、ナビゲーション装置１００の動作として、リモコン入力手段２７０を用いた入力制御処理について、図１１に基づいて説明する。なお、ここでも、ナビゲーション装置１００にて、利用者の設定入力により任意の処理が実施された後の入力制御処理を例示して説明するが、前述した任意の処理の際にも同様の入力制御処理が実施されている。図１１は、リモコン入力手段を用いた入力制御処理を示すフローチャートである。
【００６８】
まず、ナビゲーション装置１００およびリモコン４００は、利用者の設定入力により任意の処理を実施した後、入力待機状態となる。そして、リモコン４００は、図１１に示すように、リモコン信号生成部４４０にて、例えば利用者の手がリモコン４００の操作手段、すなわち、リモコンつまみ４２０やリモコンボタン４３０に接触していると判断すると（ステップＳ２０１）、この接触された操作手段が押圧されたか否かを判断する（ステップＳ２０２）。
【００６９】
そして、リモコン信号生成部４４０は、操作手段が押圧されたと判断すると、押圧センサ信号を生成する（ステップＳ２０３）。例えばリモコン信号生成部４４０は、表示画面を１つ前の表示画面に戻すリモコンボタン４３０が押圧されたと判断すると、このリモコンボタン４３０が押圧されたことを伝達する押圧情報と、このリモコンボタン４３０を特定する操作部特定情報と、を有する押圧センサ信号を生成する。そして、この押圧センサ信号を赤外線を利用して、ナビゲーション装置１００へ出力する（ステップＳ２０４）。
【００７０】
一方で、ステップＳ２０２において、リモコン信号生成部４４０は、操作手段が押圧されずに接触されたと判断すると、接触センサ信号を生成する（ステップＳ２０５）。例えばリモコン信号生成部４４０は、詳細地図を表示させるリモコンボタン４３０が接触されたと判断すると、このリモコンボタン４３０が接触されたことを伝達する接触情報と、このリモコンボタン４３０を特定する操作部特定情報と、を有する接触センサ信号を生成する。そして、ステップＳ２０４の処理を実施する。すなわち、リモコン信号生成部４４０は、生成した接触センサ信号を赤外線を利用して、ナビゲーション装置１００へ出力する。
【００７１】
ナビゲーション装置１００は、リモコン受光部２８０にて、リモコン４００から送信される赤外線を受光すると（ステップＳ２０６）、この赤外線が押圧センサ信号を有しているか否かを判断する（ステップＳ２０７）。
【００７２】
ステップＳ２０７において、受光した赤外線が押圧センサ信号を有していると判断すると、この押圧センサ信号を押圧検出信号Ｓbtに適宜変換して処理部３４０へ出力する（ステップＳ２０８）。この後、処理部３４０は、制御信号出力手段３４１にて、押圧検出信号Ｓbtを取得すると、この取得した押圧検出信号Ｓbtに基づいて、押圧された操作手段を認識する。そして、制御信号出力手段３４１は、この認識した操作手段に対応する処理の実施を要求する処理制御信号を生成して、表示制御手段３４２、音声制御手段３４３、案内誘導演算手段３４４へ適宜出力する（ステップＳ２０９）。この後、制御信号出力手段３４１から入力される処理制御信号を取得した表示制御手段３４２、音声制御手段３４３、案内誘導演算手段３４４は、処理制御信号に基づいて、押圧された操作手段に対応する処理を実施して（ステップＳ２１０）、入力制御処理を終了する。
【００７３】
例えば制御信号出力手段３４１は、押圧検出信号Ｓbtを取得すると、この取得した押圧検出信号Ｓbtに基づいて、押圧された操作手段が例えば表示画面を１つ前の表示画面に戻すリモコンボタン４３０であることを認識する。そして、制御信号出力手段３４１は、例えば表示画面を１つ前の表示画面に戻す旨を要求する処理制御信号を生成して表示制御手段３４２へ出力する。この後、表示制御手段３４２は、制御信号出力手段３４１から入力される処理制御信号を取得すると、この処理制御信号に基づいて、表示装置２００に画面表示された表示画面を１つ前の表示画面に戻して、入力制御処理を終了する。
【００７４】
一方で、ステップＳ２０７において、受光した赤外線が押圧センサ信号ではなく接触センサ信号を有していると判断すると、この接触センサ信号を接触検出信号Ｓgsに適宜変換して処理部３４０へ出力する（ステップＳ２１１）。この後、処理部３４０は、制御信号出力手段３４１にて、接触検出信号Ｓgsを取得すると、この取得した接触検出信号Ｓgsに基づいて、接触された操作手段を認識する。そして、制御信号出力手段３４１は、この認識した操作手段に対応する処理内容の報知の実施を要求する報知制御信号を生成して、表示制御手段３４２および音声制御手段３４３へ出力する（ステップＳ２１２）。この後、制御信号出力手段３４１から出力される処理制御信号を取得した表示制御手段３４２および音声制御手段３４３は、報知制御信号に基づいて、接触された操作手段に対応する処理内容の報知を実施して（ステップＳ２１３）、入力制御処理を終了する。
【００７５】
例えば制御信号出力手段３４１は、接触検出信号Ｓgsを取得すると、この取得した接触検出信号Ｓgsに基づいて、接触された操作手段が例えば詳細地図を表示させるリモコンボタン４３０であることを認識する。そして、制御信号出力手段３４１は、このリモコンボタン４３０に対応する処理内容を報知する旨を要求する報知制御信号を生成して表示制御手段３４２および音声制御手段３４３へ出力する。この後、表示制御手段３４２は、制御信号出力手段３４１から入力される報知制御信号を取得すると、この報知制御信号に基づいて、詳細地図を画面表示させずに、リモコンボタン４３０に対応する処理内容を報知する図６に示すような模式図２２５を画面表示させる。また、音声制御手段３４３は、報知制御信号に基づいて、例えば「詳細地図を表示します」などのリモコンボタン４３０に対応する処理内容を報知する音声を音声出力部２３０から出力させる。
【００７６】
上述したように、上記実施の形態では、ナビゲーション装置１００は、入力部２４０の例えば表示装置入力手段２６０の図示しない検出信号生成手段にて、例えば操作ボタン２６１の入力操作に基づいて、接触検出信号Ｓgsまたは押圧検出信号Ｓbtを適宜生成して制御信号出力手段３４１へ出力する。そして、制御信号出力手段３４１は、接触検出信号Ｓgsを取得すると、この接触検出信号Ｓgsに基づいて、報知制御信号を適宜生成して音声制御手段３４３へ出力する。また、制御信号出力手段３４１は、押圧検出信号Ｓbtを取得すると、この押圧検出信号Ｓbtに基づいて、処理制御信号を適宜生成して表示制御手段３４２、音声制御手段３４３、案内誘導演算手段３４４へ適宜出力する。そして、ナビゲーション装置１００は、例えば音声制御手段３４３にて、例えば音量を大きくする操作ボタン２６１に対応する処理内容の報知を要求する報知制御信号を取得すると、音声出力部２３０から出力させる音声の音量を大きくせずに、例えば「音量を大きくします」などの操作ボタン２６１に対応する処理内容を報知する音声を音声出力部２３０から出力させる。また、ナビゲーション装置１００は、例えば音声制御手段３４３にて、例えば音量を大きくする操作ボタン２６１に対応する処理の実施を要求する処理制御信号を取得すると、音声出力部２３０から出力させる音声の音量を大きくする。
【００７７】
このため、利用者は、入力部２４０の例えば操作ボタン２６１などにて設定入力を実施する前に所定の入力操作を実施することにより、ナビゲーション装置１００に、例えば操作ボタン２６１に対応する処理内容を音声により適宜報知させることができる。したがって、利用者は、例えば操作ボタン２６１に対応する処理をナビゲーション装置１００に実施させる前に、この操作ボタン２６１に対応する処理内容を認識でき、所望の処理に対応する例えば操作ボタン２６１などを確実に認識でき、確実に設定入力できる。また、利用者は、音声により例えば操作ボタン２６１などに対応する処理内容を聴取できるので、例えば操作ボタン２６１などを視認することなくこれらに対応する処理内容を確実に認識でき、確実に設定入力できる。特に、ナビゲーション装置１００においては、例えば運転中であっても前方から視線を外すことなく例えば操作ボタン２６１に対応する処理内容を確実に認識できるので有益である。
【００７８】
また、制御信号出力手段３４１は、例えば操作ボタン２６１が接触された際に入力部２４０から出力される接触検出信号Ｓgsを取得した際に報知制御信号を出力し、押圧された際に入力部２４０から出力される押圧検出信号Ｓbtを取得した際に処理制御信号を出力する。このため、利用者は、例えば操作ボタン２６１に接触するまたは操作ボタン２６１を押圧するだけの簡単な入力操作により、ナビゲーション装置１００に操作ボタン２６１に対応する処理内容の報知または処理の実施をさせることができる。したがって、操作が容易なナビゲーション装置１００を提供できる。
【００７９】
ナビゲーション装置１００に、コマンドボタン２２２，２２３に対応する領域の入力操作に応じて接触検出信号Ｓgsまたは押圧検出信号Ｓbtを出力するタッチパネル２５０や、操作ボタン２６１や操作つまみ２６２の入力操作に応じて接触検出信号Ｓgsまたは押圧検出信号Ｓbtを出力する表示装置入力手段２６０を設けている。このため、ナビゲーション装置１００と、タッチパネル２５０や表示装置入力手段２６０と、を別体とする構成と比べて、ナビゲーション装置１００を配設するスペースの小型化を図ることができる。
【００８０】
例えば表示装置入力手段２６０に、複数の操作ボタン２６１を設けている。そして、表示装置入力手段２６０は、検出信号生成手段にて、各操作ボタン２６１の入力操作に対応する接触検出信号Ｓgsまたは押圧検出信号Ｓbtを適宜生成して出力する。このため、利用者は、ナビゲーション装置１００に、複数の例えば操作ボタン２６１のそれぞれ対応する処理内容の報知または処理の実施をさせることができる。したがって、利用者は、ナビゲーション装置１００の複数の異なる設定入力を確実にできる。
【００８１】
また、表示制御手段３４２に、例えば詳細地図を表示させるリモコンボタン４３０に対応する処理内容の報知を要求する報知制御信号を取得すると、このリモコンボタン４３０に対応する処理内容を報知する例えば図６に示すような模式図２２５を画面表示させる機能を設けている。このため、利用者は、聴覚に加えて視覚でも例えばリモコンボタン４３０に対応する処理内容を認識でき、設定入力をより確実にできる。特に、オンダッシュボート型の表示装置２００に模式図２２５を画面表示させる構成としているので、利用者は、運転中であっても前方の車両などから視線を外すことなく前述したような処理内容を認識できる。このため、汎用性がより高いナビゲーション装置１００を提供できる。
【００８２】
ナビゲーション装置１００に、リモコンつまみ４２０やリモコンボタン４３０の入力操作に基づいて、接触センサ信号または押圧センサ信号を適宜生成し、例えば赤外線などの無線媒体を利用して出力するリモコン４００と、このリモコン４００からの例えば赤外線が有する各センサ信号に基づいて、接触検出信号Ｓgsまたは押圧検出信号Ｓbtを適宜生成して制御信号出力手段３４１へ出力するリモコン受光部２８０と、を設けている。このため、利用者は、リモコン受光部２８０にて赤外線が受光可能な範囲のいかなる場所においても、ナビゲーション装置１００の動作を設定入力できる。したがって、接触センサ信号または押圧センサ信号の送受信に有線媒体を用いる構成と比べて、リモコン４００を入力操作する場所の制限を設ける必要が無く、汎用性が高いナビゲーション装置１００を提供できる。
【００８３】
〔実施形態の変形〕
なお、本発明は、上述した一実施の形態に限定されるものではなく、本発明の目的を達成できる範囲で以下に示される変形をも含むものである。
【００８４】
すなわち、制御信号出力手段３４１にて、例えば操作ボタン２６１が所定時間内に１回だけ押圧や接触された旨を伝達する操作一回検出信号に基づいて報知制御信号を生成して出力し、２回以上押圧や接触された旨を伝達する操作二回検出信号に基づいて処理制御信号を生成して出力する構成としてもよい。このような構成にすれば、利用者は、例えば操作ボタン２６１を押圧や接触する回数を変更するだけの簡単な入力操作により、ナビゲーション装置１００に操作ボタン２６１に対応する処理内容の報知または処理の実施をさせることができる。したがって、操作が容易なナビゲーション装置１００を提供できる。
【００８５】
また、制御信号出力手段３４１にて、例えば入力部２４０から入力される操作ボタン２６１が押圧や接触された旨を伝達する操作検出信号を、所定時間以上認識した場合に報知制御信号を生成して出力し、所定時間以上認識できない場合に処理制御信号を生成して出力する構成としてもよい。このような構成にすれば、利用者は、例えば操作ボタン２６１を押圧や接触する長さを変更するだけの簡単な入力操作により、ナビゲーション装置１００に操作ボタン２６１に対応する処理内容の報知または処理の実施をさせることができる。したがって、操作が容易なナビゲーション装置１００を提供できる。
【００８６】
例えば表示装置入力手段２６０やリモコン入力手段２７０の各ボタン２６１，３３０や各つまみ２６２，３２０を、複数段階的に入力操作可能に設ける。また、検出信号生成部やリモコン信号生成部４４０に、各ボタン２６１，３３０や各つまみ２６２，３２０の複数段階的な入力操作に応じて、第一段階検出信号または第二段階検出信号を出力する機能を設ける。そして、制御信号出力手段３４１にて、表示装置入力手段２６０やリモコン入力手段２７０から入力される第一段階検出信号に基づいて例えば報知制御信号を生成して出力し、第二段階検出信号に基づいて例えば処理制御信号を生成して出力する構成としてもよい。このような構成にすれば、利用者は、例えば操作ボタン２６１の入力操作を多段階的に実施するだけの簡単な方法により、ナビゲーション装置１００に操作ボタン２６１に対応する処理内容の報知または処理の実施をさせることができる。したがって、操作が容易なナビゲーション装置１００を提供できる。
【００８７】
入力部２４０と別体で構成された処理部３４０に制御信号出力手段３４１を設けた構成について例示したが、これに限らず入力部２４０に制御信号出力手段３４１を設けた構成としてもよい。例えばタッチパネル２５０や表示装置入力手段２６０に制御信号出力手段３４１を設けた場合、タッチパネル２５０や表示装置入力手段２６０は、これらの操作手段が接触されたと判断すると、制御信号出力手段３４１にて報知制御信号を生成して表示制御手段３４２および音声制御手段３４３に出力する。一方で、タッチパネル２５０や表示装置入力手段２６０は、これらの操作手段が押圧されたと判断すると、制御信号出力手段３４１にて処理制御信号を生成して表示制御手段３４２、音声制御手段３４３、案内誘導演算手段３４４に適宜出力する。このため、ステップＳ１０３およびステップＳ１０７の処理を省略できる。したがって、タッチパネル２５０や表示装置入力手段２６０を用いた入力制御処理の処理時間を短縮できる。
【００８８】
また、例えばリモコン入力手段２７０のリモコン４００に制御信号出力手段３４１を設けた場合、リモコン４００は、操作手段が接触されたと判断すると、制御信号出力手段３４１にて報知制御信号を生成してナビゲーション装置１００に出力する。一方で、リモコン４００は、操作手段が押圧されたと判断すると、制御信号出力手段３４１にて処理制御信号を生成してナビゲーション装置１００に出力する。そして、ナビゲーション装置１００は、報知制御信号を受信すると、この報知制御信号を表示制御手段３４２および音声制御手段３４３に出力する。一方で、ナビゲーション装置１００は、処理制御信号を受信すると、この処理制御信号を表示制御手段３４２、音声制御手段３４３、案内誘導演算手段３４４に適宜出力する。このため、ステップＳ２０８およびステップＳ２１１の処理を省略できる。したがって、リモコン入力手段２７０を用いた入力制御処理の処理時間を短縮できる。さらに、ナビゲーション装置１００の処理部３４０に制御信号出力手段３４１を設けないので、処理部３４０の構成を簡略化でき、ナビゲーション装置１００のコストを削減できる。
【００８９】
なお、上述したような入力部２４０に制御信号出力手段３４１を設けた構成においても、入力部２４０の操作手段が所定時間内に例えば押圧された回数や、押圧された時間的な長さ、操作手段の複数段階的な入力操作に応じて、制御信号出力手段３４１にて、報知制御信号または処理制御信号を生成して出力する構成としてもよい。
【００９０】
表示制御手段３４２に、報知制御信号を取得した際に、この報知制御信号に基づいて、例えば図６ないし図９に示すような模式図２２５，２２６，２２７，２２８を画面表示させる機能を設けた構成について例示したが、このような機能を設けない構成としてもよい。このような構成にすれば、表示制御手段３４２の構成を簡略化でき、ナビゲーション装置１００のコストを削減できる。
【００９１】
また、表示制御手段３４２にて、報知制御信号に基づいて、図６ないし図９に示すような模式図２２５，２２６，２２７，２２８を画面表示させる構成について例示したが、これに限らず例えば入力部２４０の操作手段に対応する処理内容を文字にて報知するテキストボックスなどを画面表示させる構成などとしてもよい。また、模式図２２５，２２６，２２７，２２８とともに前述したようなテキストボックスなどを画面表示させる構成などとしてもよい。このような構成にすれば、利用者は、模式図２２５，２２６，２２７，２２８に比べて容易に情報を認識可能な文字にて前述したような処理内容を認識でき、複数の異なる設定入力をより容易にできる。
【００９２】
入力部２４０に、タッチパネル２５０と、表示装置入力手段２６０と、リモコン入力手段２７０と、を備えた構成について例示したが、これに限らず少なくともいずれか１つを備えた構成などとしてもよい。例えば、各入力手段２６０，２７０に比べてコストが高いタッチパネル２５０を設けない構成とすれば、ナビゲーション装置１００のコストを削減できる。また、表示装置入力手段２６０を設けない構成とすれば、表示装置２００の筐体２１０に操作ボタン２６１や操作つまみ２６２などを配設するための図示しない嵌挿部を形成する必要がなくなるので、筐体２１０の構成を簡略化でき、表示装置２００の製造性を高めることができる。さらに、リモコン入力手段２７０を設けない構成とすれば、ナビゲーション装置１００とは別体で構成されたリモコン４００を配設するスペースを確保する必要がなくなるので、ナビゲーション装置１００を配設するスペースを縮小できる。
【００９３】
表示装置入力手段２６０やリモコン入力手段２７０の各ボタン２６１，３３０や各つまみ２６２，３２０に図示しないセンサを設けずに、検出信号生成部やリモコン信号生成部４４０にて、各ボタン２６１，３３０や各つまみ２６２，３２０の進退方向や傾倒方向への例えば移動量に基づいて、接触検出信号Ｓgsまたは押圧検出信号Ｓbtを生成する構成としてもよい。このような構成としては、例えば検出信号生成部やリモコン信号生成部４４０に、各ボタン２６１，３３０や各つまみ２６２，３２０の進退方向や傾倒方向への移動量に基づいてオンオフされるスイッチ機構を設け、このスイッチ機構のオンオフを認識して接触検出信号Ｓgsまたは押圧検出信号Ｓbtを生成する構成などが例示できるがこれに限られない。このような構成にすれば、各ボタン２６１，３３０や各つまみ２６２，３２０にセンサを設ける必要がなくなるので、各ボタン２６１，３３０や各つまみ２６２，３２０を１つの部材で構成できる。このため、表示装置２００やリモコン４００の構成を簡略化でき、コストを削減できたり製造性を向上させることができる。
【００９４】
ナビゲーション装置１００を用いて説明したが、例えばテレビジョン装置、ラジオ装置、パーソナルコンピュータなど、操作ボタンや操作つまみなどを有する入力部を備えたその他の構成も適用できる。具体的には、発券機やキャッシュディスペンサなどとしても利用できる。また、利用者が直接携帯する構成、例えば携帯電話やＰＨＳ、ＰＤＡ、ノート型パーソナルコンピュータなどにも適用できる。
【００９５】
さらに、例えば記録媒体などに記録された画像や音声などのコンテンツを再生するコンテンツ再生装置と、このコンテンツ再生装置にネットワークを介して接続され画像や音声などを出力可能なコンテンツ出力装置と、を備えた構成に適用することができる。そして、コンテンツ再生装置の例えば待機状態やコンテンツ再生状態の際に、コンテンツ再生装置やリモートコントローラに設けられた操作ボタンや操作つまみなどの操作手段に対応する処理内容を、コンテンツ出力装置にて音声、または、音声および画像で報知する構成などとしてもよい。
【００９６】
そして、ナビゲーション装置としては、ネットワークを介して各種情報を送受信可能に接続されたサーバ装置から地図情報を取得したり、サーバ装置で演算したルート探索結果を取得したりするなどの通信型のナビゲーション装置も対象とすることができる。さらに、移動体としては、車両に限らず例えば飛行機や船舶など移動するその他の移動体にも適用でき、また移動体は、携帯する利用者の現在位置を装置の現在位置として認識させることで利用者を対象としてもよい。
【００９７】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００９８】
その他、本発明の実施の際の具体的な構造および手順は、本発明の目的を達成できる範囲で他の構造などに適宜変更できる。
【００９９】
〔実施形態の作用効果〕
上述したように、上記実施形態では、ナビゲーション装置１００は、例えば入力部２４０の表示装置入力手段２６０にて、操作ボタン２６１の入力操作に基づいて、接触検出信号Ｓgsまたは押圧検出信号Ｓbtを適宜生成して制御信号出力手段３４１へ出力する。そして、制御信号出力手段３４１は、接触検出信号Ｓgsを取得すると、この接触検出信号Ｓgsに基づいて、報知制御信号を適宜生成して音声制御手段３４３へ出力する。また、制御信号出力手段３４１は、押圧検出信号Ｓbtを取得すると、この押圧検出信号Ｓbtに基づいて、処理制御信号を適宜生成して表示制御手段３４２、音声制御手段３４３、案内誘導演算手段３４４へ適宜出力する。そして、ナビゲーション装置１００は、音声制御手段３４３にて、接触検出信号Ｓgsに基づいて、例えば操作ボタン２６１に対応する処理内容を報知する音声を音声出力部２３０から出力させる。また、ナビゲーション装置１００は、表示制御手段３４２、音声制御手段３４３、案内誘導演算手段３４４にて、押圧検出信号Ｓbtに基づいて、例えば操作ボタン２６１に対応する処理を実施させる。
【０１００】
このため、利用者は、例えば入力部２４０の操作ボタン２６１などにて設定入力を実施する前に所定の入力操作を実施することにより、ナビゲーション装置１００に、操作ボタン２６１に対応する処理内容を音声により適宜報知させることができる。したがって、利用者は、例えば操作ボタン２６１に対応する処理をナビゲーション装置１００に実施させる前に、この操作ボタン２６１に対応する処理内容を認識でき、所望の処理に対応する操作ボタン２６１などを確実に認識でき、確実に設定入力できる。また、利用者は、音声により例えば操作ボタン２６１などに対応する処理内容を聴取できるので、例えば操作ボタン２６１などを視認することなくこれらに対応する処理内容を確実に認識でき、運転中であっても前方から視線を外すことなく処理内容を認識でき、確実に設定入力できる。
【図面の簡単な説明】
【０１０１】
【図１】本発明の一実施の形態に係るナビゲーション装置の概略構成を示すブロック図。
【図２】前記一実施の形態における表示装置の概略構成を示す模式図。
【図３】前記一実施の形態におけるリモートコントローラの概略構成を示す模式図。
【図４】前記一実施の形態における表示装置に画面表示される表示画面の一例を示す模式図。
【図５】前記一実施の形態におけるナビゲーション装置の処理部の概略構成を示すブロック図。
【図６】前記一実施の形態における報知制御信号に基づいて表示装置に画面表示される表示画面の一例を示す模式図。
【図７】前記一実施の形態における報知制御信号に基づいて表示装置に画面表示される表示画面の一例を示す模式図。
【図８】前記一実施の形態における報知制御信号に基づいて表示装置に画面表示される表示画面の一例を示す模式図。
【図９】前記一実施の形態における報知制御信号に基づいて表示装置に画面表示される表示画面の一例を示す模式図。
【図１０】前記一実施の形態におけるタッチパネルまたは表示装置入力手段を用いた入力制御処理を示すフローチャート。
【図１１】前記一実施の形態におけるリモコン入力手段を用いた入力制御処理を示すフローチャート。
【符号の説明】
【０１０２】
２２０    表示手段としての表示部
２３０    音声出力手段としての音声出力部
２４０    入力制御装置を構成する入力手段としての入力部
２６１    操作手段としての操作ボタン
２６２    操作手段としての操作つまみ
３４０    入力制御装置を構成する処理部
３４１    信号出力手段としても機能する制御信号出力手段
３４２    処理実施手段としても機能する処理制御手段としての表示制御手段
３４３    処理実施手段としても機能する処理制御手段としての音声制御手段
３４４    処理実施手段としての案内誘導演算手段
４２０    操作手段としてのリモコンつまみ
４３０    操作手段としてのリモコンボタン
Ｓgs  検出信号としての接触検出信号
Ｓbt  検出信号としての押圧検出信号
【図１】
2005150921.tif 000003
【図２】
2005150921.tif 000004
【図３】
2005150921.tif 000005
【図４】
2005150921.tif 000006
【図５】
2005150921.tif 000007
【図６】
2005150921.tif 000008
【図７】
2005150921.tif 000009
【図８】
2005150921.tif 000010
【図９】
2005150921.tif 000011
【図１０】
2005150921.tif 000012
【図１１】
2005150921.tif 000013